(57)【要約】【課題】複数の照明器具と無線コントローラとの無線通信を行う際に、中継用の照明器具を簡易に決定する。【解決手段】無線コントローラ２０の第２通信部２０ａは、照明器具１〜８に、無線コントローラ２０の呼びかけに対する応答を指示する第１信号ｓ１を送信する。制御部２０ｃは、照明器具から返信された第１信号ｓ１に対する応答を受け付け、照明器具１〜８のうち第１信号ｓ１に応答した照明器具を含む第１グループＧ１と第１信号ｓ１に応答しなかった照明器具を含む第２グループＧ２とが存在する場合に、第１グループＧ１の少なくとも１つの照明器具を中継用の照明器具Ｔ１として決定し、第２通信部２０ａを介して、中継用の照明器具Ｔ１に第２グループＧ２の照明器具との無線通信を行うように指示する第２信号ｓ２を送信する。第２信号ｓ２を受信した中継用の照明器具Ｔ１は、第１通信部１０ａを介して、第２グループＧ２の照明器具との無線通信を行う。【選択図】図５
2019192515.tif 000002
【特許請求の範囲】
【請求項１】
複数の照明器具と、無線コントローラとを備える照明システムであって、
前記複数の照明器具のそれぞれは、前記無線コントローラと通信し、かつ、前記複数の照明器具同士で通信し合う第１通信部を備え、
前記無線コントローラは、前記複数の照明器具と通信する第２通信部と、前記第２通信部を介して前記複数の照明器具を制御する制御部とを備え、
前記第２通信部は、前記複数の照明器具に、前記無線コントローラの呼びかけに対する応答を指示する第１信号を送信し、
前記制御部は、前記複数の照明器具のうち１以上の照明器具から返信された前記第１信号に対する応答を受け付け、前記複数の照明器具のうち前記第１信号に応答した照明器具を含む第１グループと前記第１信号に応答しなかった照明器具を含む第２グループとが存在する場合に、前記第１グループの少なくとも１つの照明器具を中継用の照明器具として決定し、前記第２通信部を介して、前記中継用の照明器具に前記第２グループの照明器具との無線通信を行うように指示する第２信号を送信し、
前記第２信号を受信した前記中継用の照明器具は、前記第１通信部を介して、前記第２グループの照明器具との無線通信を行う
照明システム。
【請求項２】
さらに、前記無線コントローラおよび前記複数の照明器具の配置情報を含む建物内のレイアウト情報を記憶する記憶部を備え、
前記制御部は、前記第１グループの少なくとも１つの照明器具を中継用の照明器具として決定する場合に、前記記憶部に記憶された前記レイアウト情報に基づいて、前記決定を行う
請求項１に記載の照明システム。
【請求項３】
前記制御部は、前記第１グループの少なくとも１つの照明器具を中継用の照明器具として決定する場合に、前記無線コントローラと前記第１グループのそれぞれの照明器具との通信状態に基づいて、前記決定を行う
請求項１または２に記載の照明システム。
【請求項４】
前記制御部は、前記第１グループの少なくとも１つの照明器具を中継用の照明器具として決定する場合に、前記第１グループのそれぞれの照明器具の中継可能台数に基づいて、前記決定を行う
請求項１〜３のいずれか１項に記載の照明システム。
【請求項５】
さらに、前記複数の照明器具に対する電力の供給有無を切り替える電源スイッチを備え、
前記制御部は、前記第１グループの少なくとも１つの照明器具を中継用の照明器具として決定する場合に、前記電力が供給されている前記第１グループの照明器具の中から、前記決定を行う
請求項１〜４のいずれか１項に記載の照明システム。
【請求項６】
前記制御部は、前記第２通信部を介して前記第１信号を定期的に送信する
請求項１〜５のいずれか１項に記載の照明システム。
【請求項７】
さらに、前記無線コントローラと通信する操作端末を備え、
前記制御部は、前記操作端末から前記第１信号を送信すべき指示信号を受け付けた場合に、前記第２通信部を介して前記第１信号を送信する
請求項１〜５のいずれか１項に記載の照明システム。
【請求項８】
前記第２グループの照明器具との無線通信を行った前記中継用の照明器具は、自身と前記第２グループの照明器具との通信状態を、前記第１通信部を介して前記無線コントローラに送信し、
前記制御部は、当該中継用の照明器具から送信された前記通信状態を受け付け、当該通信状態が規定範囲内である場合に、当該中継用の照明器具を引き続き中継用の照明器具として維持決定する
請求項１〜７のいずれか１項に記載の照明システム。
【請求項９】
前記制御部は、前記中継用の照明器具に、前記無線コントローラの呼びかけに対する応答を指示する第３信号を、前記第２通信部を介して送信し、前記中継用の照明器具が前記第３信号に応答しなかった場合に、前記第１グループのうち当該中継用の照明器具を除く少なくとも１つの照明器具を当該中継用の照明器具の代わりの中継用の照明器具として決定し、前記第２通信部を介して、前記代わりの中継用の照明器具に前記第２グループの照明器具との無線通信を行うように指示する第４信号を送信し、
前記第４信号を受信した前記代わりの中継用の照明器具は、前記第１通信部を介して、前記第２グループの照明器具との無線通信を行う
請求項１に記載の照明システム。
【請求項１０】
前記代わりの中継用の照明器具および前記第２グループの照明器具の配置情報を含む建物内のレイアウト情報を記憶する記憶部を備え、
前記制御部は、前記少なくとも１つの照明器具を当該中継用の照明器具の代わりの中継用の照明器具として決定する場合に、当該記憶部に記憶された当該レイアウト情報に基づいて、前記決定を行う
請求項９に記載の照明システム。
【請求項１１】
前記制御部は、前記少なくとも１つの照明器具を当該中継用の照明器具の代わりの中継用の照明器具として決定する場合に、前記無線コントローラと前記第１グループのうち当該中継用の照明器具を除くそれぞれの照明器具との通信状態に基づいて、前記決定を行う
請求項９または１０に記載の照明システム。
【請求項１２】
前記制御部は、前記少なくとも１つの照明器具を当該中継用の照明器具の代わりの中継用の照明器具として決定する場合に、前記第１グループのうち当該中継用の照明器具を除くそれぞれの照明器具の中継可能台数に基づいて、前記決定を行う
請求項９〜１１のいずれか１項に記載の照明システム。
【請求項１３】
前記中継用の照明器具に対する電力の供給有無を切り替える電源スイッチを備え、
前記制御部は、前記少なくとも１つの照明器具を当該中継用の照明器具の代わりの中継用の照明器具として決定する場合に、前記電力が供給されている前記第１グループのうち当該中継用の照明器具を除く照明器具の中から、前記決定を行う
請求項９〜１２のいずれか１項に記載の照明システム。
【請求項１４】
前記制御部は、前記第２通信部を介して前記第３信号を定期的に送信する
請求項９〜１３のいずれか１項に記載の照明システム。
【請求項１５】
前記第２グループの照明器具との無線通信を行った前記代わりの中継用の照明器具は、自身と前記第２グループの照明器具との通信状態を、前記第１通信部を介して前記無線コントローラに送信し、
前記制御部は、当該代わりの中継用の照明器具から送信された前記通信状態を受け付け、当該通信状態が規定範囲内である場合に、当該代わりの中継用の照明器具を引き続き中継用の照明器具として維持決定する
請求項９〜１４のいずれか１項に記載の照明システム。
【請求項１６】
複数の照明器具と、無線コントローラとを備える照明システムであって、
前記複数の照明器具のそれぞれは、前記無線コントローラと通信し、かつ、前記複数の照明器具同士で通信し合う第１通信部を備え、
前記無線コントローラは、前記複数の照明器具と通信する第２通信部と、前記第２通信部を介して前記複数の照明器具を制御する制御部とを備え、
前記複数の照明器具は、前記無線コントローラの無線通信を中継する中継用の照明器具と、前記中継用の照明器具を介して前記無線コントローラと無線通信する中継先の照明器具とを有し、
前記制御部は、前記中継用の照明器具に、前記無線コントローラの呼びかけに対する応答を指示する第３信号を、前記第２通信部を介して送信し、前記中継用の照明器具が前記第３信号に応答しなかった場合に、当該中継用の照明器具を除く少なくとも１つの照明器具を当該中継用の照明器具の代わりの中継用の照明器具として決定し、前記第２通信部を介して、前記代わりの中継用の照明器具に前記中継先の照明器具との無線通信を行うように指示する第４信号を送信し、
前記第４信号を受信した前記代わりの中継用の照明器具は、前記第１通信部を介して、前記中継先の照明器具との無線通信を行う
照明システム。
【請求項１７】
複数の照明器具と、前記複数の照明器具と通信する無線コントローラとを備える照明システムにおいて、前記複数の照明器具のうち少なくとも１つを中継用の照明器具とし、前記複数の照明器具と前記無線コントローラとの無線通信を行う照明システムの無線中継方法であって、
前記複数の照明器具に、前記無線コントローラの呼びかけに対する応答を指示する第１信号を送信する工程と、
前記複数の照明器具のうち１以上の照明器具から返信された前記第１信号に対する応答を受け付け、前記複数の照明器具のうち前記第１信号に応答した照明器具を含む第１グループと前記第１信号に応答しなかった照明器具を含む第２グループとが存在する場合に、前記第１グループの少なくとも１つの照明器具を前記中継用の照明器具として決定し、前記中継用の照明器具に前記第２グループの照明器具との無線通信を行うように指示する第２信号を送信する工程と、
前記第２信号を受信した前記中継用の照明器具と、前記第２グループの照明器具とで無線通信を行う工程と
を含む照明システムの無線中継方法。
【請求項１８】
さらに、
前記第２グループの照明器具との無線通信を行った前記中継用の照明器具と前記第２グループの照明器具との通信状態を取得する工程と、
取得した前記通信状態が規定範囲内である場合に、当該中継用の照明器具を引き続き中継用の照明器具として維持決定する工程と
を含む請求項１７に記載の照明システムの無線中継方法。
【発明の詳細な説明】
【技術分野】
【０００１】
本発明は、照明器具と無線コントローラとを備える照明システム、および、照明システムの無線中継方法に関する。
【背景技術】
【０００２】
従来、複数の照明器具と、複数の照明器具を制御する無線コントローラとを備える照明システムが知られている（例えば特許文献１参照）。この種の照明システムでは、複数の照明器具および無線コントローラが建物に設置された後、複数の照明器具と無線コントローラとの無線通信の設定が行われる。
【先行技術文献】
【特許文献】
【０００３】
【特許文献１】特開２００６−１４０７６４号公報
【発明の概要】
【発明が解決しようとする課題】
【０００４】
特許文献１に記載されている照明システムにおいて、例えば、所定の照明器具が無線コントローラから遠く離れて設置される場合、無線コントローラと所定の照明器具との間に位置する他の照明器具を中継用の照明器具として設定し、無線通信を行うことがある。しかしながら、無線通信の設定を行った後の電波環境の変化、および、パーテーションの設置または新たな機材の導入などのレイアウト変更により、上記無線通信ができなくなることがある。その場合、中継用の照明器具を異なる照明器具に設定しなおして無線通信を回復させることもできるが、ユーザにとって中継用の照明器具を設定しなおす作業が煩雑であり、また、労力を有するという問題がある。
【０００５】
そこで、本発明は、複数の照明器具と無線コントローラとの無線通信を行う際に、中継用の照明器具を簡易に決定することができる照明システム等を提供することを目的とする。
【課題を解決するための手段】
【０００６】
本発明の照明システムの一態様は、複数の照明器具と、無線コントローラとを備える照明システムであって、前記複数の照明器具のそれぞれは、前記無線コントローラと通信し、かつ、前記複数の照明器具同士で通信し合う第１通信部を備え、前記無線コントローラは、前記複数の照明器具と通信する第２通信部と、前記第２通信部を介して前記複数の照明器具を制御する制御部とを備え、前記第２通信部は、前記複数の照明器具に、前記無線コントローラの呼びかけに対する応答を指示する第１信号を送信し、前記制御部は、前記複数の照明器具のうち１以上の照明器具から返信された前記第１信号に対する応答を受け付け、前記複数の照明器具のうち前記第１信号に応答した照明器具を含む第１グループと前記第１信号に応答しなかった照明器具を含む第２グループとが存在する場合に、前記第１グループの少なくとも１つの照明器具を中継用の照明器具として決定し、前記第２通信部を介して、前記中継用の照明器具に前記第２グループの照明器具との無線通信を行うように指示する第２信号を送信し、前記第２信号を受信した前記中継用の照明器具は、前記第１通信部を介して、前記第２グループの照明器具との無線通信を行う。
【０００７】
本発明の照明システムの一態様は、複数の照明器具と、無線コントローラとを備える照明システムであって、前記複数の照明器具のそれぞれは、前記無線コントローラと通信し、かつ、前記複数の照明器具同士で通信し合う第１通信部を備え、前記無線コントローラは、前記複数の照明器具と通信する第２通信部と、前記第２通信部を介して前記複数の照明器具を制御する制御部とを備え、前記複数の照明器具は、前記無線コントローラの無線通信を中継する中継用の照明器具と、前記中継用の照明器具を介して前記無線コントローラと無線通信する中継先の照明器具とを有し、前記制御部は、前記中継用の照明器具に、前記無線コントローラの呼びかけに対する応答を指示する第３信号を、前記第２通信部を介して送信し、前記中継用の照明器具が前記第３信号に応答しなかった場合に、当該中継用の照明器具を除く少なくとも１つの照明器具を当該中継用の照明器具の代わりの中継用の照明器具として決定し、前記第２通信部を介して、前記代わりの中継用の照明器具に前記中継先の照明器具との無線通信を行うように指示する第４信号を送信し、前記第４信号を受信した前記代わりの中継用の照明器具は、前記第１通信部を介して、前記中継先の照明器具との無線通信を行う。
【０００８】
本発明の照明システムの無線中継方法の一態様は、複数の照明器具と、前記複数の照明器具と通信する無線コントローラとを備える照明システムにおいて、前記複数の照明器具のうち少なくとも１つを中継用の照明器具とし、前記複数の照明器具と前記無線コントローラとの無線通信を行う照明システムの無線中継方法であって、前記複数の照明器具に、前記無線コントローラの呼びかけに対する応答を指示する第１信号を送信する工程と、前記複数の照明器具のうち１以上の照明器具から返信された前記第１信号に対する応答を受け付け、前記複数の照明器具のうち前記第１信号に応答した照明器具を含む第１グループと前記第１信号に応答しなかった照明器具を含む第２グループとが存在する場合に、前記第１グループの少なくとも１つの照明器具を前記中継用の照明器具として決定し、前記中継用の照明器具に前記第２グループの照明器具との無線通信を行うように指示する第２信号を送信する工程と、前記第２信号を受信した前記中継用の照明器具と、前記第２グループの照明器具とで無線通信を行う工程とを含む。
【発明の効果】
【０００９】
照明システムにおいて、複数の照明器具と無線コントローラとの無線通信を行う際に、中継用の照明器具を簡易に決定することができる。
【図面の簡単な説明】
【００１０】
【図１】実施の形態１に係る照明システムであって、照明システムが備える照明器具および無線コントローラを建物の天井側から見た概略図である。
【図２】実施の形態１に係る照明システムの構成を示すブロック図である。
【図３】実施の形態１に係る無線コントローラの記憶部に格納される記憶テーブルを示す図である。
【図４】実施の形態１に係る照明器具の記憶部に格納される記憶テーブルを示す図である。
【図５】実施の形態１に係る照明システムの無線中継方法を示すフローチャートである。
【図６】実施の形態１に係る照明システムの無線中継方法を示すシーケンス図である。
【図７Ａ】実施の形態１に係る無線コントローラの記憶部に格納される記憶テーブルの一例を示す図である。
【図７Ｂ】実施の形態１に係る無線コントローラの記憶部に格納される記憶テーブルの一例を示す図である。
【図７Ｃ】実施の形態１に係る無線コントローラの記憶部に格納される記憶テーブルの一例を示す図である。
【図８】実施の形態１の変形例に係る照明システムの構成を示すブロック図である。
【図９】実施の形態２に係る照明システムであって、照明システムが備える照明器具および無線コントローラを建物の天井側から見た概略図である。
【図１０】実施の形態２に係る照明システムの無線中継方法を示すシーケンス図である。
【図１１Ａ】実施の形態２に係る無線コントローラの記憶部に格納される記憶テーブルの一例を示す図である。
【図１１Ｂ】実施の形態２に係る無線コントローラの記憶部に格納される記憶テーブルの一例を示す図である。
【図１２】実施の形態３に係る照明システムであって、照明システムが備える照明器具および無線コントローラを建物の天井側から見た概略図である。
【図１３】実施の形態３に係る照明システムの無線中継方法を示すフローチャートである。
【図１４】実施の形態３に係る照明システムの無線中継方法を示すシーケンス図である。
【図１５Ａ】実施の形態３に係る無線コントローラの記憶部に格納される記憶テーブルの一例を示す図である。
【図１５Ｂ】実施の形態３に係る無線コントローラの記憶部に格納される記憶テーブルの一例を示す図である。
【図１６】実施の形態４に係る照明システムであって、照明システムが備える照明器具および無線コントローラを建物の天井側から見た概略図である。
【図１７】実施の形態４に係る照明システムの無線中継方法を示すフローチャートである。
【図１８】実施の形態４に係る照明システムの無線中継方法を示すシーケンス図である。
【発明を実施するための形態】
【００１１】
以下、実施の形態に係る照明システム等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
（実施の形態１）
［１−１．照明システムの構成］
まず、照明システム１００の全体構成について、図１を参照しながら説明する。
【００１４】
図１は、実施の形態１に係る照明システム１００であって、照明システム１００が備える照明器具および無線コントローラを建物１０１の天井側から見た概略図である。同図において、ｚ軸方向は垂直方向であり、ｘ軸方向およびｙ軸方向は水平方向であり、ｘ軸方向およびｙ軸方向は互いに直交している。
【００１５】
照明システム１００は、複数の照明器具１、２、３、４、５、６、７、８と、照明器具１〜８のうち少なくとも１つの照明器具と無線通信する無線コントローラ２０とを備えている。なお、図１では８台の照明器具１〜８が示されているが、実際は建物１０１の天井などに１００台以上の照明器具が設置されることがある。
【００１６】
無線コントローラ２０から発信される電波の届く範囲には制限があり、照明器具が無線コントローラ２０から離れて設置されると、無線コントローラ２０と直接通信できない照明器具がでてくる。その場合、無線コントローラ２０と、上記直接通信できない照明器具との間に中継用の照明器具Ｔ１を設置し、無線通信が行われる。
【００１７】
ここで、図１を参照しながら、照明システム１００を構成する複数の照明器具１〜８と無線コントローラ２０との無線通信の接続関係について説明する。なお、本実施の形態の照明システム１００は、時とともに変化する電波環境および建物１０１内のレイアウトに応じて無線通信の接続関係を自動で変更できる形態となっているが、理解を容易にするため、図１では、特定の時刻における無線通信の接続関係を示すこととする。
【００１８】
図１に示すように、複数の照明器具１〜８のうち、照明器具１〜４は無線コントローラ２０の近くに配置され、照明器具５〜８は無線コントローラ２０から遠く離れて配置されている。照明器具１〜４と無線コントローラ２０とは、無線通信ｒ１によって通信可能となっている。照明器具２は、中継用の照明器具Ｔ１として設定されており、無線通信ｒ２によって照明器具５〜８と通信可能となっている。すなわち、複数の照明器具５〜８と無線コントローラ２０とは、中継用の照明器具Ｔ１を介して通信可能となっている。
【００１９】
無線通信ｒ１、ｒ２による通信方式としては、例えば、９２０ＭＨｚ帯または２．４ＧＨｚ帯の周波数を利用した特定小電力無線、Ｚｉｇｂｅｅ（登録商標）、Ｂｌｕｅｔｏｏｔｈ（登録商標）、あるいは、ＷｉＦｉ（登録商標）などの方式が用いられる。
【００２０】
次に、照明システム１００の各構成について、図１〜図４を参照しながら説明する。
【００２１】
図２は、照明システム１００の構成を示すブロック図である。なお以下において、複数の照明器具１〜８のうちの照明器具２および照明器具５を代表例に挙げて説明する場合がある。
【００２２】
無線コントローラ２０は、各照明器具２、５を制御するためのコントローラである。具体的には、無線コントローラ２０は、各照明器具２、５の通信制御および点灯制御を行う。無線コントローラ２０は、各照明器具２、５と通信する第２通信部２０ａと、第２通信部２０ａに接続されている制御部２０ｃとを備えている。
【００２３】
第２通信部２０ａは、アンテナおよび無線モジュールなどにより構成されている。第２通信部２０ａは、例えば、無線通信ｒ１によって照明器具２と通信し、無線通信ｒ１および照明器具２を介する無線通信ｒ２によって照明器具５と通信する。
【００２４】
制御部２０ｃは、ＣＰＵ（Ｃｅｎｔｒａｌ  Ｐｒｏｃｅｓｓｉｎｇ  Ｕｎｉｔ）などによって構成される。また制御部２０ｃは、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）などによって構成される記憶部２０ｅを備えている。記憶部２０ｅには、以下に示す各情報が記憶される。
【００２５】
図３は、無線コントローラの記憶部２０ｅに格納される記憶テーブルを示す図である。
【００２６】
図３に示すように、記憶部２０ｅには、無線コントローラ２０自身の識別情報と、照明器具１〜８の識別情報が記憶されている。なお、識別情報は、無線コントローラ２０および照明器具１〜８のＭＡＣアドレス（Ｍｅｄｉａ  Ａｃｃｅｓｓ  Ｃｏｎｔｒｏｌ  Ａｄｄｒｅｓｓ）であってもよい。
【００２７】
また、記憶部２０ｅには、無線コントローラ２０および照明器具１〜８の配置情報を含む建物１０１内のレイアウト情報が格納されている。例えば図３では、無線コントローラ２０が、建物１０１内の（ｘ，ｙ，ｚ）座標でいう位置（１０，２５，１００）に配置され、照明器具２が、位置（５０，１０，１００）に配置されていることが示されている。制御部２０ｃは、中継用の照明器具Ｔ１を決定する場合に、記憶部２０ｅに記憶されたレイアウト情報に基づいて、上記決定を行うことができる。
【００２８】
なお上記記憶テーブルは、無線コントローラ２０に接続される外部サーバの記憶部に格納されていてもよい。
【００２９】
制御部２０ｃは、第２通信部２０ａを介して、複数の照明器具１〜８に第１信号ｓ１を送信する。なお、第１信号ｓ１とは、複数の照明器具１〜８に対して、無線コントローラ２０の呼びかけに対する応答を指示する信号である。
【００３０】
記憶部２０ｅには、この第１信号ｓ１に対する各照明器具１〜８の応答有無に関する情報が記憶される。例えば図１には、制御部２０ｃの振り分けによって、第１信号ｓ１に応答した照明器具１〜４が第１グループＧ１とされ、第１信号ｓ１に応答しなかった照明器具５〜８が第２グループＧ２とされた状態が示されている。
【００３１】
また、記憶部２０ｅには、中継用の照明器具Ｔ１として設定した照明器具（図１では照明器具２）の個別番号、および、中継先の照明器具（図１では照明器具５、６、７、８）の個別番号に関する情報が記憶される。
【００３２】
また、中継用の照明器具Ｔ１の中継台数には制限があるため、記憶部２０ｅには、中継用の照明器具Ｔ１の現在の中継台数が記憶される。制御部２０ｃは、中継用の照明器具Ｔ１を決定する場合に、現在の中継可能台数に基づいて、上記決定を行うことができる。例えば、制御部２０ｃは、中継用の照明器具Ｔ１の中継可能台数が８台である場合に、中継台数が８台以内となるように中継用の照明器具Ｔ１および中継先の照明器具を決定する。
【００３３】
また、記憶部２０ｅには、無線コントローラ２０と照明器具１〜８との無線通信ｒ１の通信状態、および、中継用の照明器具Ｔ１と中継先の照明器具５〜８との無線通信ｒ２の通信状態に関する情報が記憶される。これら通信状態に関する情報は、例えば、無線通信ｒ１、ｒ２それぞれの通信良否または電波強度（例えばＲＳＳＩ：Ｒｅｃｅｉｖｅｄ  Ｓｉｇｎａｌ  Ｓｔｒｅｎｇｔｈ  Ｉｎｄｉｃａｔｏｒ）である。例えば照明器具が故障している場合は、通信良否は「不良」と表される。例えば電波強度は、５段階評価で表される。制御部２０ｃは、中継用の照明器具Ｔ１を決定する場合に、記憶部２０ｅに記憶された無線コントローラ２０と第１グループＧ１の照明器具１〜４との通信状態に基づいて、上記決定を行うことができる。
【００３４】
照明器具２、５のそれぞれは、例えば、ＬＥＤ（Ｌｉｇｈｔ  Ｅｍｉｔｔｉｎｇ  Ｄｉｏｄｅ）ライトである。各照明器具２、５は、第１通信部１０ａと、点灯部１０ｂと、第１通信部１０ａおよび点灯部１０ｂに接続されている制御部１０ｃとを備えている。
【００３５】
第１通信部１０ａは、アンテナおよび無線モジュールなどにより構成されている。第１通信部１０ａは、無線コントローラ２０と通信し、かつ、照明器具２、５同士で通信し合うように構成されている。具体的には、照明器具２の第１通信部１０ａは、無線通信ｒ１によって無線コントローラ２０と通信し、無線通信ｒ２によって照明器具５と通信する。照明器具５の第１通信部１０ａは、無線通信ｒ２によって照明器具２と通信する。
【００３６】
点灯部１０ｂは、例えば、白色光、赤色光、緑色光または青色光を発する複数の発光ダイオードなどの光源を含む。
【００３７】
制御部１０ｃは、ＣＰＵなどにより構成される。制御部１０ｃは、無線コントローラ２０の指示に基づいて第１通信部１０ａの通信相手および点灯部１０ｂの点灯状態を制御する。また、制御部１０ｃは、電波強度を計測する計測部を有している。なお、電波強度を計測する計測部は、無線コントローラ２０の制御部２０ｃに設けられていてもよい。
【００３８】
また、制御部１０ｃは、ＲＡＭおよびＲＯＭなどにより構成される記憶部１０ｅを備えている。記憶部１０ｅには、以下に示す各情報が記憶される。
【００３９】
図４は、照明器具２の記憶部１０ｅに格納される記憶テーブルを示す図である。
【００４０】
図４に示すように、照明器具２の記憶部１０ｅには、照明器具２自身の識別情報と、ペアリング相手である無線コントローラ２０の識別情報が記憶される。また、記憶部１０ｅには、照明器具２自身が中継用の照明器具Ｔ１として設定されているか否かの情報、および、中継先の照明器具５〜８の個別番号に関する情報が記憶される。また、中継用の照明器具Ｔ１の中継台数には制限があるため、記憶部１０ｅには、現在の中継台数が記憶される。
【００４１】
一方、中継先の照明器具５の記憶部１０ｅには、照明器具５自身の識別情報と、ペアリング相手である照明器具２の識別情報が記憶される（図示省略）。
【００４２】
本実施の形態では、照明器具１〜８および無線コントローラ２０が以下に示す構成を実現することで、中継用の照明器具Ｔ１の設定が行われる。
【００４３】
まず、第２通信部２０ａが、複数の照明器具１〜８に、無線コントローラ２０の呼びかけに対する応答を指示する第１信号ｓ１を送信する。制御部２０ｃは、複数の照明器具１〜８のうち１以上の照明器具（例えば照明器具１〜４）から返信された第１信号ｓ１に対する応答を受け付ける。
【００４４】
制御部２０ｃは、複数の照明器具１〜８のうち、第１信号ｓ１に応答した照明器具１〜４を含む第１グループＧ１と第１信号ｓ１に応答しなかった照明器具（例えば照明器具５〜８）を含む第２グループＧ２とが存在する場合に、第１グループＧ１の少なくとも１つの照明器具（例えば照明器具２）を中継用の照明器具Ｔ１として決定し、第２通信部２０ａを介して、中継用の照明器具Ｔ１に第２グループＧ２の照明器具（例えば照明器具５〜８）との無線通信を行うように指示する第２信号ｓ２を送信する。第２信号ｓ２を受信した中継用の照明器具Ｔ１は、第１通信部１０ａを介して、第２グループＧ２の照明器具５〜８との無線通信を行う。
【００４５】
これにより、照明システム１００は、複数の照明器具１〜８および無線コントローラ２０の無線通信を行う際に、中継用の照明器具Ｔ１を簡易に決定することができる。
【００４６】
また、制御部２０ｃは、中継用の照明器具Ｔ１と第２グループＧ２の照明器具５〜８との通信状態を中継用の照明器具Ｔ１から受け付け、上記通信状態が規定範囲内である場合に、中継用の照明器具Ｔ１を引き続き中継用の照明器具Ｔ１として維持決定する。
【００４７】
このように、中継用の照明器具Ｔ１と第２グループＧ２の照明器具５〜８との通信状態を確認することで、中継用の照明器具Ｔ１を適切に決定することができる。
【００４８】
［１−２．照明システムの無線中継方法］
次に、照明システム１００の無線中継方法について図５〜図７Ｃを参照しながら説明する。
【００４９】
図５は、照明システム１００の無線中継方法を示すフローチャートである。図６は、照明システム１００の無線中継方法を示すシーケンス図である。図７Ａ、図７Ｂおよび図７Ｃは、無線コントローラ２０に格納される記憶テーブルの一例を示す図である。
【００５０】
ここでは、図１に示される無線通信の接続状態から、所定時間経過後に無線通信の接続状態を監視し、必要に応じて中継用の照明器具を決定しなおす場面について説明する。
【００５１】
図７Ａは、初期状態の記憶テーブルである。図７Ａの記憶テーブルには、識別情報およびレイアウト情報が格納され、中継用の照明器具および無線通信ｒ１、ｒ２の通信状態に関する情報はまだ格納されていない。
【００５２】
まず、図５および図６に示すように、無線コントローラ２０の制御部２０ｃは、複数の照明器具１〜８に、無線コントローラ２０の呼びかけに対する応答を指示する第１信号ｓ１を送信する（Ｓ１０１）。第１信号ｓ１は、例えば、１分の時間間隔で定期的に一斉送信される。なお、第１信号ｓ１は、照明器具１〜８ごとに個別に送信されてもよい。
【００５３】
第１信号ｓ１が送信されると、無線コントローラ２０の近くに位置する照明器具１〜４は、この第１信号ｓ１受信する。各照明器具１〜４の制御部１０ｃは、無線コントローラ２０との通信良否を判断し、また、それぞれが受信した第１信号ｓ１の電波強度を計測する。次に各照明器具１〜４は、通信良否および電波強度を含む通信状態に関する情報、ならびに、自身の識別情報を無線コントローラ２０に返信する。これにより、各照明器具１〜４からの応答の有無、および、通信状態に関する情報が、無線コントローラ２０の記憶部２０ｅに記憶される（図７Ｂ参照）。
【００５４】
一方、無線コントローラ２０から遠く離れて位置する照明器具５〜８は、第１信号ｓ１を受信できず、または、受信できたとしても照明器具５〜８から無線コントローラ２０への返信が届かない状態にある。例えば、第１信号ｓ１を送信してから所定時間内に照明器具からの応答がなければタイムアウトとなり、応答無という情報が無線コントローラ２０の記憶部２０ｅに記憶される（図７Ｂ参照）。
【００５５】
制御部２０ｃは、第１信号ｓ１に対する各照明器具１〜８の応答有無によって、無線コントローラ２０と各照明器具１〜８との無線通信の可否を判断する。
【００５６】
具体的には、制御部２０ｃは、複数の照明器具１〜８のうち、第１信号ｓ１に応答した照明器具を含む第１グループＧ１と、第１信号ｓ１に応答しなかった照明器具を含む第２グループＧ２とが存在するか否かを判断する（Ｓ１０２）。
【００５７】
例えば、第１信号ｓ１に応答しなかった第２グループＧ２の照明器具が存在しない場合は（Ｓ１０２のＮ）、無線コントローラ２０と照明器具１〜８とが問題なく通信できているので、ステップＳ１０１に戻り、次の第１信号ｓ１の送信タイミングまで待機する。本実施の形態では、第１グループＧ１の照明器具１〜４および第２グループＧ２の照明器具５〜８の両方が存在する状況なので、以下に示すステップＳ１０２のＹに進む。
【００５８】
制御部２０ｃは、第２グループＧ２の照明器具（例えば照明器具５〜８）が存在する場合（Ｓ１０２のＹ）、第１グループＧ１の少なくとも１つの照明器具（例えば照明器具２）を中継用の照明器具Ｔ１として決定し、第２通信部２０ａを介して、中継用の照明器具Ｔ１に第２信号ｓ２を送信する（Ｓ１０３）。なお、第２信号ｓ２は、中継用の照明器具Ｔ１に対して、第２グループＧ２の照明器具５〜８との無線通信を行うように指示する信号である。
【００５９】
制御部２０ｃは、第１グループＧ１の少なくとも１つの照明器具を中継用の照明器具Ｔ１として決定する場合に、記憶部２０ｅに記憶されたレイアウト情報に基づいて、上記決定を行う。例えば図７Ｂには、第２グループＧ２の照明器具５〜８の近くに位置する照明器具２が中継用の照明器具Ｔ１として決定され、照明器具５〜８が中継先の照明器具として決定されている例が示されている。
【００６０】
また、図７Ｂには、中継用の照明器具Ｔ１の現在の中継台数が４台であることが示されている。中継可能台数が、例えば８台である場合、照明器具５〜８は中継先の照明器具として問題なく設定される。例えば、中継用の照明器具Ｔ１の中継台数が満杯になり中継可能台数が０である場合、照明器具２とは異なる他の照明器具（例えば照明器具３）が、中継用の照明器具Ｔ１として決定される。
【００６１】
なお上記では、第１グループＧ１の少なくとも１つの照明器具を中継用の照明器具として決定する場合に、記憶部２０ｅに記憶されているレイアウト情報に基づいて、上記決定を行う例を示したが、それに限られない。例えば、制御部２０ｃは、記憶部２０ｅに記憶されている無線通信ｒ１の通信状態に基づいて、上記決定を行ってもよい。
【００６２】
例えば、制御部２０ｃは、第１グループＧ１の少なくとも１つの照明器具を中継用の照明器具として決定する場合に、図７Ｂに示す第１グループＧ１のうち、無線コントローラ２０との通信良否が「良」で、かつ、電波強度が「５」である照明器具２を中継用の照明器具Ｔ１として決定してもよい。また、制御部２０ｃは、レイアウト情報と通信状態の両方の情報を用いて上記決定を行ってもよい。
【００６３】
第２信号ｓ２を受信した中継用の照明器具Ｔ１は、第１通信部１０ａを介して、第２グループＧ２の照明器具５〜８との無線通信を行う。その際、中継用の照明器具Ｔ１と第２グループＧ２の照明器具５〜８との通信状態が良好か否かを確認する（Ｓ１０４）。
【００６４】
例えば、図６に示すように、中継用の照明器具Ｔ１は、照明器具５〜８に対して、通信状態の確認を行うための信号ｓ２１を送信する。信号ｓ２１を受信した各照明器具５〜８の制御部１０ｃは、自身と中継用の照明器具Ｔ１との通信良否を判断し、また、それぞれが受信した信号ｓ２１の電波強度を計測する。次に各照明器具５〜８は、上記の通信良否および電波強度を含む通信状態に関する情報、ならびに、自身の識別情報を中継用の照明器具Ｔ１に返信する。
【００６５】
各照明器具５〜８の通信状態に関する情報は、中継用の照明器具Ｔ１から無線コントローラ２０に送信され、記憶部２０ｅに記憶される（図７Ｃ参照）。なお、中継用の照明器具Ｔ１から無線コントローラ２０送信される情報は、照明器具５〜８の一括情報として送信されもよいし、照明器具５〜８ごとに対応して個別に送信されてもよい。
【００６６】
制御部２０ｃは、中継用の照明器具Ｔ１から送信された上記通信状態に関する情報を受け付け、上記通信状態が規定範囲内である場合に（Ｓ１０４にてＹ）、中継用の照明器具Ｔ１を引き続き中継用の照明器具Ｔ１として維持決定する（Ｓ１０５）。上記通信状態が規定範囲内でない場合は（Ｓ１０４にてＮ）、ステップＳ１０３に戻り、中継用の照明器具Ｔ１となり得る他の照明器具を探す。なお、通信状態が規定範囲内とは、例えば、電波強度による５段階評価が、最高５である場合の４以上であることを示す。
【００６７】
このように、本実施の形態の照明システム１００では、無線コントローラ２０から第１信号ｓ１を送信した後は、無線コントローラ２０または照明器具１〜８に対してユーザが特段の操作をする必要が無く、自動で中継用の照明器具Ｔ１の設定を行うことができる。これによれば、照明システム１００において中継用の照明器具Ｔ１を簡易に決定することができる。なお、本実施の形態では、初期状態から電波環境の変化が少なく、中継用の照明器具が結果的に変更されていない例について説明した。
【００６８】
［１−３．効果等］
本実施の形態に係る照明システム１００は、複数の照明器具１〜８と、無線コントローラ２０とを備える。複数の照明器具１〜８のそれぞれは、無線コントローラ２０と通信し、かつ、複数の照明器具１〜８同士で通信し合う第１通信部１０ａを備える。無線コントローラ２０は、複数の照明器具１〜８と通信する第２通信部２０ａと、第２通信部２０ａを介して複数の照明器具１〜８を制御する制御部２０ｃとを備える。第２通信部２０ａは、複数の照明器具１〜８に、無線コントローラ２０の呼びかけに対する応答を指示する第１信号ｓ１を送信する。制御部２０ｃは、複数の照明器具１〜８のうち１以上の照明器具から返信された第１信号ｓ１に対する応答を受け付け、複数の照明器具１〜８のうち第１信号ｓ１に応答した照明器具を含む第１グループＧ１と第１信号ｓ１に応答しなかった照明器具を含む第２グループＧ２とが存在する場合に、第１グループＧ１の少なくとも１つの照明器具（例えば照明器具２）を中継用の照明器具Ｔ１として決定し、第２通信部２０ａを介して、中継用の照明器具Ｔ１に第２グループＧ２の照明器具（例えば照明器具５〜８）との無線通信を行うように指示する第２信号ｓ２を送信する。第２信号ｓ２を受信した中継用の照明器具Ｔ１は、第１通信部１０ａを介して、第２グループＧ２の照明器具との無線通信を行う。
【００６９】
これによれば、照明システム１００において複数の照明器具１〜８および無線コントローラ２０の無線通信を行う際に、中継用の照明器具Ｔ１を簡易に決定することができる。
【００７０】
また、照明システム１００は、さらに、無線コントローラ２０および複数の照明器具１〜８の配置情報を含む建物１０１内のレイアウト情報を記憶する記憶部２０ｅを備え、制御部２０ｃは、第１グループＧ１の少なくとも１つの照明器具を中継用の照明器具Ｔ１として決定する場合に、記憶部２０ｅに記憶されたレイアウト情報に基づいて、上記決定を行ってもよい。
【００７１】
このように、レイアウト情報に基づいて中継用の照明器具Ｔ１を決定することで、中継用の照明器具Ｔ１を適切に決定することができる。
【００７２】
また、制御部２０ｃは、第１グループＧ１の少なくとも１つの照明器具を中継用の照明器具Ｔ１として決定する場合に、無線コントローラ２０と第１グループＧ１のそれぞれの照明器具との通信状態に基づいて、上記決定を行ってもよい。
【００７３】
このように、無線コントローラ２０と照明器具との通信状態に基づいて中継用の照明器具Ｔ１を決定することで、中継用の照明器具Ｔ１を適切に決定することができる。
【００７４】
また、制御部２０ｃは、第１グループＧ１の少なくとも１つの照明器具を中継用の照明器具Ｔ１として決定する場合に、第１グループＧ１のそれぞれの照明器具の中継可能台数に基づいて、上記決定を行ってもよい。
【００７５】
このように、照明器具の中継可能台数に基づいて中継用の照明器具Ｔ１を決定することで、中継用の照明器具Ｔ１を適切に決定することができる。
【００７６】
また、制御部２０ｃは、第２通信部２０ａを介して第１信号ｓ１を定期的に送信してもよい。
【００７７】
これによれば、時とともに変化する電波環境および建物１０１内のレイアウトに応じて、中継用の照明器具Ｔ１を決定することができる。
【００７８】
また、第２グループＧ２の照明器具との無線通信を行った中継用の照明器具Ｔ１は、自身と第２グループＧ２の照明器具との通信状態を、第１通信部１０ａを介して無線コントローラ２０に送信し、制御部２０ｃは、当該中継用の照明器具Ｔ１から送信された通信状態を受け付け、当該通信状態が規定範囲内である場合に、当該中継用の照明器具Ｔ１を引き続き中継用の照明器具Ｔ１として維持決定してもよい。
【００７９】
このように、中継用の照明器具Ｔ１と第２グループＧ２の照明器具との通信状態を確認することで、中継用の照明器具Ｔ１を適切に維持決定することができる。
【００８０】
本実施の形態に係る照明システム１００の無線中継方法は、複数の照明器具１〜８と、複数の照明器具１〜８と通信する無線コントローラ２０とを備える照明システム１００において、複数の照明器具１〜８のうち少なくとも１つを中継用の照明器具Ｔ１とし、複数の照明器具１〜８と無線コントローラ２０との無線通信を行う照明システム１００の無線中継方法であって、以下に示す１）〜３）の工程を含む。１）複数の照明器具１〜８に、無線コントローラ２０の呼びかけに対する応答を指示する第１信号ｓ１を送信する工程、２）複数の照明器具１〜８のうち１以上の照明器具から返信された第１信号ｓ１に対する応答を受け付け、複数の照明器具１〜８のうち第１信号ｓ１に応答した照明器具を含む第１グループＧ１と第１信号ｓ１に応答しなかった照明器具を含む第２グループＧ２とが存在する場合に、第１グループＧ１の少なくとも１つの照明器具を中継用の照明器具Ｔ１として決定し、中継用の照明器具Ｔ１に第２グループＧ２の照明器具との無線通信を行うように指示する第２信号ｓ２を送信する工程、３）第２信号ｓ２を受信した中継用の照明器具Ｔ１と、第２グループＧ２の照明器具とで無線通信を行う工程。
【００８１】
これによれば、上記照明システム１００の無線中継方法において、中継用の照明器具Ｔ１を簡易に決定して無線中継を行うことができる。
【００８２】
また、照明システム１００の無線中継方法は、さらに、以下に示す複数の工程を含む。４）第２グループＧ２の照明器具との無線通信を行った中継用の照明器具Ｔ１と第２グループＧ２の照明器具との通信状態を取得する工程、５）取得した通信状態が規定範囲内である場合に、当該中継用の照明器具Ｔ１を引き続き中継用の照明器具Ｔ１として維持決定する工程。
【００８３】
このように、中継用の照明器具Ｔ１と第２グループＧ２の照明器具との通信状態を取得することで、中継用の照明器具Ｔ１を適切に維持決定して、無線中継を行うことができる。
【００８４】
［１−４．変形例］
次に、実施の形態１の変形例に係る照明システム１００Ａについて、図８を参照しながら説明する。変形例に係る照明システム１００Ａは、無線コントローラ２０および照明器具１〜８に加え、さらに、操作端末３０を備えている。
【００８５】
図８は、変形例に係る照明システム１００Ａの構成を示すブロック図である。
【００８６】
操作端末３０は、第３通信部３０ａと、表示入力部３０ｂと、第３通信部３０ａおよび表示入力部３０ｂに接続されている制御部３０ｃとを備えている。
【００８７】
第３通信部３０ａは、無線コントローラ２０と無線通信ｒ３で通信する。無線通信ｒ３による通信方式としては、例えば、ＷｉＦｉ（登録商標）または赤外線通信などの方式が用いられる。
【００８８】
表示入力部３０ｂは、例えばタッチパネルであり、建物１０１内における照明システム１００Ａのレイアウト情報および無線通信の接続関係に関する情報を表示したり、ユーザの操作入力を受け付けたりする。
【００８９】
制御部３０ｃは、ＣＰＵを備え、表示入力部３０ｂから受け付けた指令を、第３通信部３０ａを介して無線コントローラ２０に送信する。また、制御部３０ｃは、ＲＡＭおよびＲＯＭなどにより構成された記憶部３０ｅを備えている。制御部３０ｃは、例えば、無線コントローラ２０から送信された無線通信の接続関係に関する情報を、表示入力部３０ｂに表示させる。
【００９０】
操作端末３０は、表示入力部３０ｂにてユーザの操作を受け付け、無線コントローラ２０に、前述した第１信号ｓ１を送信させるための指示信号を送信する。無線コントローラ２０の制御部２０ｃは、操作端末３０から第１信号ｓ１を送信すべき指示信号を受け付けた場合に、第２通信部２０ａを介して照明器具１〜８に第１信号ｓ１を送信する。
【００９１】
このように変形例の照明システム１００Ａは、さらに、無線コントローラ２０と通信する操作端末３０を備え、制御部２０ｃは、操作端末３０から第１信号ｓ１を送信すべき指示信号を受け付けた場合に、第２通信部２０ａを介して第１信号ｓ１を送信する。
【００９２】
この変形例によれば、無線通信の接続状態を適切な状態としたい時に、操作端末３０を用いて中継用の照明器具Ｔ１の設定を行うことができる。これにより、照明システム１００Ａにおいて、中継用の照明器具Ｔ１を簡易に設定することができる。
【００９３】
（実施の形態２）
次に、実施の形態２に係る照明システム１００Ｂについて、図９〜図１１Ｂを参照しながら説明する。実施の形態２に係る照明システム１００Ｂでは、建物１０１内に障害物１０２が設けられ、電波環境が変化している。ここでは、中継用の照明器具の設定を見直し、異なる照明器具を中継用の照明器具として変更する例について説明する。
【００９４】
図９は、実施の形態２の照明システム１００Ｂが備える照明器具１〜８および無線コントローラ２０を建物１０１の天井側から見た概略図である。図１０は、照明システム１００Ｂの無線中継方法を示すシーケンス図である。図１１Ａおよび図１１Ｂは、無線コントローラ２０の記憶部２０ｅに格納される記憶テーブルの一例を示す図である。
【００９５】
照明システム１００Ｂは、複数の照明器具１〜８と、照明器具１〜８のうち少なくとも１つの照明器具と無線通信する無線コントローラ２０とを備えている。
【００９６】
図９に示すように、照明システム１００Ｂでは、建物１０１内に、パーテーションなどの障害物１０２が設けられている。そのため、例えば照明器具２と照明器具５とが無線通信ｒ２によって通信しにくい状態となっている。
【００９７】
図１１Ａは、初期状態の記憶テーブルである。図１１Ａの記憶テーブルには、無線コントローラ２０および照明器具１〜８の配置情報に加え、障害物１０２の配置情報を含むレイアウト情報が格納されている。
【００９８】
まず、図１０に示すように、無線コントローラ２０の制御部２０ｃは、複数の照明器具１〜８に、無線コントローラ２０の呼びかけに対する応答を指示する第１信号ｓ１を送信する（図５のＳ１０１参照）。
【００９９】
制御部２０ｃは、第１信号ｓ１に対する各照明器具１〜８の応答有無によって、無線コントローラ２０と各照明器具１〜８との無線通信の可否を判断する。
【０１００】
具体的には、制御部２０ｃは、複数の照明器具１〜８のうち、第１信号ｓ１に応答した照明器具を含む第１グループＧ１と、第１信号ｓ１に応答しなかった照明器具を含む第２グループＧ２とが存在するか否かを判断する（図５のＳ１０２参照）。
【０１０１】
制御部２０ｃは、第２グループＧ２の照明器具（例えば照明器具５〜８）が存在する場合（Ｓ１０２のＹ）、第１グループＧ１の少なくとも１つの照明器具（例えば照明器具３）を中継用の照明器具Ｔ１として決定し、第２通信部２０ａを介して、中継用の照明器具Ｔ１に第２信号ｓ２を送信する（図５のＳ１０３参照）。
【０１０２】
制御部２０ｃは、第１グループＧ１の少なくとも１つの照明器具を中継用の照明器具Ｔ１として決定する場合に、記憶部２０ｅに記憶されたレイアウト情報に基づいて、上記決定を行う。例えば図１１Ｂには、照明器具２と照明器具５との間に障害物１０２が存在するので、照明器具２は中継用の照明器具として設定されず、照明器具３が中継用の照明器具Ｔ１として設定されている例が示されている。
【０１０３】
なお上記では、第１グループＧ１の少なくとも１つの照明器具を中継用の照明器具として決定する場合に、記憶部２０ｅに記憶されているレイアウト情報に基づいて、上記決定を行う例を示したが、それに限られない。例えば、制御部２０ｃは、記憶部２０ｅに記憶されている無線通信ｒ１の通信状態に基づいて、上記決定を行ってもよい。
【０１０４】
第２信号ｓ２を受信した中継用の照明器具Ｔ１は、第１通信部１０ａを介して、第２グループＧ２の照明器具５〜８との無線通信を行う。その際、中継用の照明器具Ｔ１と第２グループＧ２の照明器具５〜８との通信状態が良好か否かを確認する（図５のＳ１０４参照）。
【０１０５】
各照明器具５〜８は、通信良否および電波強度を含む通信状態に関する情報、ならびに、自身の識別情報を中継用の照明器具Ｔ１に返信する。
【０１０６】
各照明器具５〜８からの通信状態に関する情報は、中継用の照明器具Ｔ１から無線コントローラ２０に送信され記憶部２０ｅに記憶される（図１１Ｂ参照）。
【０１０７】
制御部２０ｃは、中継用の照明器具Ｔ１から送信された上記通信状態に関する情報を受け付け、上記通信状態が規定範囲内である場合に（Ｓ１０４にてＹ）、中継用の照明器具Ｔ１を引き続き中継用の照明器具Ｔ１として維持決定する（図５のＳ１０５参照）。上記通信状態が規定範囲内でない場合は（Ｓ１０４にてＮ）、ステップＳ１０３に戻り、中継用の照明器具Ｔ１となり得る他の照明器具を探す。
【０１０８】
実施の形態２においても実施の形態１と同様に、複数の照明器具１〜８と無線コントローラ２０との無線通信を行う際に、中継用の照明器具Ｔ１を簡易に決定することができる。
【０１０９】
（実施の形態３）
次に、実施の形態３に係る照明システム１００Ｃについて、図１２〜図１５Ｂを参照しながら説明する。実施の形態３に係る照明システム１００Ｃでは、照明器具１〜８の電源ライン４６、４７のうち電源ライン４６がオフされている状態にて、中継用の照明器具を設定する例について説明する。
【０１１０】
図１２は、実施の形態３の照明システム１００Ｃが備える照明器具１〜８および無線コントローラ２０を建物１０１の天井側から見た概略図である。図１３は、照明システム１００Ｃの無線中継方法を示すフローチャートである。図１４は、照明システム１００Ｃの無線中継方法を示すシーケンス図である。図１５Ａおよび図１５Ｂは、無線コントローラ２０の記憶部２０ｅに格納される記憶テーブルの一例を示す図である。
【０１１１】
照明システム１００Ｃは、複数の照明器具１〜８と、照明器具１〜８のうち少なくとも１つの照明器具と無線通信する無線コントローラ２０とを備えている。さらに照明システム１００Ｃは、電源ライン４６を介して照明器具１、２、５、６に接続される電源スイッチ４１と、電源ライン４７を介して照明器具３、４、７、８に接続される電源スイッチ４２とを備えている。
【０１１２】
まず、照明システム１００Ｃにおいて、各照明器具１〜８への電力供給の有無を確認する（Ｓ１００）。本実施の形態の照明システム１００Ｃでは、電源スイッチ４２がオンされているが、電源スイッチ４１がオフされている。そのため、照明器具１、２、５、６が無線コントローラ２０と通信できない状態となっている。
【０１１３】
図１５Ａは、初期状態の記憶テーブルである。図１５Ａの記憶テーブルには、無線コントローラ２０および照明器具１〜８の配置情報に加え、電源スイッチ４１、４２のオンオフに関する情報が格納されている。
【０１１４】
次に、無線コントローラ２０の制御部２０ｃは、複数の照明器具１〜８に、無線コントローラ２０の呼びかけに対する応答を指示する第１信号ｓ１を送信する（Ｓ１０１）。第１信号ｓ１は照明器具１〜８が位置する方向に一斉送信されるが、照明器具１、２、５、６は、電源スイッチ４１がオフされているので、必然的に中継用の照明器具および中継先の照明器具を設定する対象から除外される。
【０１１５】
制御部２０ｃは、第１信号ｓ１に対する各照明器具３、４、７、８の応答有無によって、無線コントローラ２０と各照明器具３、４、７、８との無線通信の可否を判断する。
【０１１６】
具体的には、制御部２０ｃは、電源スイッチ４２がオンされている複数の照明器具３、４、７、８のうち、第１信号ｓ１に応答した照明器具を含む第１グループＧ１と、第１信号ｓ１に応答しなかった照明器具を含む第２グループＧ２とが存在するか否かを判断する（Ｓ１０２）。
【０１１７】
制御部２０ｃは、第２グループＧ２の照明器具（例えば照明器具７、８）が存在する場合（Ｓ１０２のＹ）、第１グループＧ１の少なくとも１つの照明器具（例えば照明器具３）を中継用の照明器具Ｔ１として決定し、第２通信部２０ａを介して、中継用の照明器具Ｔ１に第２信号ｓ２を送信する（Ｓ１０３）。
【０１１８】
制御部２０ｃは、第１グループＧ１の少なくとも１つの照明器具を中継用の照明器具Ｔ１として決定する場合に、記憶部２０ｅに記憶されたレイアウト情報に基づいて、上記決定を行う。例えば図１５Ｂには、第２グループＧ２の照明器具７、８の近くに位置する照明器具３が中継用の照明器具Ｔ１として決定され、照明器具７、８が中継先の照明器具として設定されている例が示されている。
【０１１９】
なお上記では、第１グループＧ１の少なくとも１つの照明器具を中継用の照明器具Ｔ１として決定する場合に、記憶部２０ｅに記憶されているレイアウト情報に基づいて、上記決定を行う例を示したが、それに限られない。例えば、制御部２０ｃは、記憶部２０ｅに記憶された無線通信ｒ１の通信状態に基づいて、上記決定を行ってもよい。
【０１２０】
第２信号ｓ２を受信した中継用の照明器具Ｔ１は、第１通信部１０ａを介して、第２グループＧ２の照明器具７、８との無線通信を行う。その際、中継用の照明器具Ｔ１と第２グループＧ２の照明器具７、８との通信状態が良好か否かを確認する（Ｓ１０４）。
【０１２１】
各照明器具７、８は、通信良否および電波強度を含む通信状態に関する情報、ならびに、自身の識別情報を中継用の照明器具Ｔ１に返信する。
【０１２２】
各照明器具７、８からの通信状態に関する情報は、中継用の照明器具Ｔ１から無線コントローラ２０に送信され記憶部２０ｅに記憶される（図１５Ｂ参照）。
【０１２３】
制御部２０ｃは、中継用の照明器具Ｔ１から送信された上記通信状態に関する情報を受け付け、上記通信状態が規定範囲内である場合に（Ｓ１０４にてＹ）、中継用の照明器具Ｔ１を引き続き中継用の照明器具Ｔ１として維持決定する（Ｓ１０５）。上記通信状態が規定範囲内でない場合は（Ｓ１０４にてＮ）、ステップＳ１０３に戻り、中継用の照明器具Ｔ１となり得る他の照明器具を探す。
【０１２４】
このように、実施の形態３の照明システム１００Ｃは、さらに、複数の照明器具１〜８に対する電力の供給有無を切り替える電源スイッチ４１、４２を備える。制御部２０ｃは、第１グループＧ１の少なくとも１つの照明器具を中継用の照明器具Ｔ１として決定する場合に、電力が供給されている第１グループＧ１の照明器具の中から、上記決定を行う。
【０１２５】
これによれば、電源スイッチ４１、４２のオンオフに応じて、中継用の照明器具Ｔ１を決定することができる。
【０１２６】
（実施の形態４）
次に、実施の形態４に係る照明システム１００Ｄについて、図１６〜図１８を参照しながら説明する。実施の形態４に係る照明システム１００Ｄでは、中継用の照明器具に通信異常が発生し、異なる照明器具を中継用の照明器具として設定する例について説明する。
【０１２７】
図１６は、照明システム１００Ｄが備える照明器具１〜８および無線コントローラ２０を建物１０１の天井側から見た概略図である。図１７は、照明システム１００Ｄの無線中継方法を示すフローチャートである。図１８は、照明システム１００Ｄの無線中継方法を示すシーケンス図である。
【０１２８】
照明システム１００Ｄは、複数の照明器具１〜８と、照明器具１〜８のうち少なくとも１つの照明器具と無線通信する無線コントローラ２０とを備えている。
【０１２９】
図１６の（ａ）には、照明器具２が、なんらかの理由で無線コントローラ２０と通信できなくなり、これまで照明器具２を中継用の照明器具Ｔ１としてきた照明器具５〜８も、無線コントローラ２０と通信できなくなっている様子が示されている。本実施の形態では、図１６の（ｂ）に示すように、中継用の照明器具Ｔ１の代わりに、異なる中継用の照明器具Ｔ２を設定して、無線通信を回復する場面について説明する。
【０１３０】
まず、無線コントローラ２０の制御部２０ｃは、中継用の照明器具Ｔ１に第３信号ｓ３を送信する（Ｓ２０１）。なお第３信号ｓ３は、中継用の照明器具Ｔ１に対して、無線コントローラ２０の呼びかけに対する応答を指示する信号である。第３信号ｓ３は、例えば、１分の時間間隔で定期的に送信される。
【０１３１】
次に、制御部２０ｃは、中継用の照明器具Ｔ１が第３信号ｓ３に応答したか否かを判断する（Ｓ２０２）。中継用の照明器具Ｔ１が第３信号ｓ３に応答した場合（Ｓ２０２のＹ）は、中継用の照明器具Ｔ１は問題なく通信できているので、ステップＳ２０１に戻り、次の第３信号ｓ３の送信タイミングまで待機する。なお本実施の形態では、中継用の照明器具Ｔ１が通信できなくなっているので、以下に示すようにステップＳ２０２のＮに進む。
【０１３２】
制御部２０ｃは、第１グループＧ１のうち中継用の照明器具Ｔ１を除く少なくとも１つの照明器具（例えば照明器具３）を代わりの中継用の照明器具Ｔ２として決定し、第２通信部２０ａを介して、第４信号ｓ４を代わりの中継用の照明器具Ｔ２に送信する（Ｓ２０３）。なお、第４信号ｓ４とは、代わりの中継用の照明器具Ｔ２に対して、第２グループＧ２の照明器具５〜８との無線通信を行うように指示する信号である。
【０１３３】
第４信号ｓ４を受信した中継用の照明器具Ｔ２は、第１通信部１０ａを介して、第２グループＧ２の照明器具５〜８との無線通信を行う。その際、中継用の照明器具Ｔ２と第２グループＧ２の照明器具５〜８との通信状態が良好か否かを確認する（Ｓ２０４）。
【０１３４】
例えば、図１８に示すように、中継用の照明器具Ｔ２は、照明器具５〜８に対して、通信状態の確認を行うための信号ｓ４１を送信する。信号ｓ４１を受信した照明器具５〜８の制御部１０ｃは、自身と中継用の照明器具Ｔ２との通信良否を判断し、また、それぞれが受信した信号ｓ４１の電波強度を計測する。次に各照明器具５〜８は、上記の通信良否および電波強度を含む通信状態に関する情報、ならびに、自身の識別情報を中継用の照明器具Ｔ２に返信する。
【０１３５】
各照明器具５〜８の通信情報および中継用の照明器具Ｔ２に関する情報は、中継用の照明器具Ｔ２から無線コントローラ２０に送信され、記憶部２０ｅに記憶される。なお、この送信の際に、無線コントローラ２０と中継用の照明器具Ｔ２との通信状態、中継用の照明器具Ｔ２の中継可能台数および電源オンオフに関する情報も、同時に送信されてもよい。
【０１３６】
制御部２０ｃは、中継用の照明器具Ｔ２から送信された上記通信状態に関する情報を受け付け、上記通信状態が規定範囲内である場合に（Ｓ２０４にてＹ）、中継用の照明器具Ｔ２を引き続き中継用の照明器具Ｔ２として維持決定する（Ｓ２０５）。上記通信状態が規定範囲内でない場合は（Ｓ２０４にてＮ）、ステップＳ２０３に戻り、中継用の照明器具Ｔ２となり得る他の照明器具を探す。
【０１３７】
また制御部２０ｃは、照明器具３を中継用の照明器具Ｔ２として決定した場合は、中継用の照明器具が重複しないように、旧中継用の照明器具Ｔ１を中継用の照明器具の対象から解除する（Ｓ２０６）。
【０１３８】
このように実施の形態４の照明システム１００Ｄでは、制御部２０ｃは、中継用の照明器具Ｔ１に、無線コントローラ２０の呼びかけに対する応答を指示する第３信号ｓ３を、第２通信部２０ａを介して送信する。そして制御部２０ｃは、中継用の照明器具Ｔ１が第３信号ｓ３に応答しなかった場合に、第１グループＧ１のうち当該中継用の照明器具Ｔ１を除く少なくとも１つの照明器具を当該中継用の照明器具Ｔ１の代わりの中継用の照明器具Ｔ２として決定し、第２通信部２０ａを介して、代わりの中継用の照明器具Ｔ２に第２グループＧ２の照明器具との無線通信を行うように指示する第４信号ｓ４を送信する。第４信号ｓ４を受信した代わりの中継用の照明器具Ｔ２は、第１通信部１０ａを介して、第２グループＧ２の照明器具との無線通信を行う。
【０１３９】
これによれば、照明システム１００Ｄにおいて中継用の照明器具Ｔ１が通信できなくなった場合に、代わりの中継用の照明器具Ｔ２を簡易に決定することができる。
【０１４０】
また、照明システム１００Ｄは、代わりの中継用の照明器具Ｔ２および第２グループＧ２の照明器具の配置情報を含む建物１０１内のレイアウト情報を記憶する記憶部２０ｅを備え、制御部２０ｃは、上記少なくとも１つの照明器具を当該中継用の照明器具Ｔ１の代わりの中継用の照明器具Ｔ２として決定する場合に、当該記憶部２０ｅに記憶された当該レイアウト情報に基づいて、上記決定を行ってもよい。
【０１４１】
このように、レイアウト情報に基づいて代わりの中継用の照明器具Ｔ２を決定することで、中継用の照明器具Ｔ２を適切に決定することができる。
【０１４２】
また、制御部２０ｃは、上記少なくとも１つの照明器具を当該中継用の照明器具Ｔ１の代わりの中継用の照明器具Ｔ２として決定する場合に、無線コントローラ２０と第１グループＧ１のうち当該中継用の照明器具Ｔ１を除くそれぞれの照明器具との通信状態に基づいて、上記決定を行ってもよい。
【０１４３】
このように、無線コントローラ２０と代わりの中継用の照明器具Ｔ２との通信状態に基づいて代わりの中継用の照明器具Ｔ２を決定することで、中継用の照明器具Ｔ２を適切に決定することができる。
【０１４４】
また、制御部２０ｃは、上記少なくとも１つの照明器具を当該中継用の照明器具Ｔ１の代わりの中継用の照明器具Ｔ２として決定する場合に、第１グループＧ１のうち当該中継用の照明器具Ｔ１を除くそれぞれの照明器具の中継可能台数に基づいて、上記決定を行ってもよい。
【０１４５】
このように、照明器具の中継可能台数に基づいて、代わりの中継用の照明器具Ｔ２を決定することで、中継用の照明器具Ｔ２を適切に決定することができる。
【０１４６】
また、中継用の照明器具に対する電力の供給有無を切り替える電源スイッチ４１、４２を備え、制御部２０ｃは、上記少なくとも１つの照明器具を当該中継用の照明器具Ｔ１の代わりの中継用の照明器具Ｔ２として決定する場合に、電力が供給されている第１グループＧ１のうち当該中継用の照明器具Ｔ１を除く照明器具の中から、上記決定を行ってもよい。
【０１４７】
これによれば、電源スイッチ４１、４２のオンオフに応じて、代わりの中継用の照明器具Ｔ２を決定することができる。
【０１４８】
また、制御部２０ｃは、第２通信部２０ａを介して第３信号ｓ３を定期的に送信してもよい。
【０１４９】
これによれば、時とともに変化する電波環境および建物１０１内のレイアウトに応じて、代わりの中継用の照明器具Ｔ２を決定することができる。
【０１５０】
また、第２グループＧ２の照明器具との無線通信を行った代わりの中継用の照明器具Ｔ２は、自身と第２グループＧ２の照明器具との通信状態を、第１通信部１０ａを介して無線コントローラ２０に送信し、制御部２０ｃは、当該代わりの中継用の照明器具Ｔ２から送信された通信状態を受け付け、当該通信状態が規定範囲内である場合に、当該代わりの中継用の照明器具Ｔ２を引き続き中継用の照明器具Ｔ２として維持決定してもよい。
【０１５１】
このように、代わりの中継用の照明器具Ｔ２と第２グループＧ２の照明器具との通信状態を確認することで、中継用の照明器具Ｔ２を適切に維持決定することができる。
【０１５２】
また、実施の形態４の照明システム１００Ｄは、複数の照明器具１〜８と、無線コントローラ２０とを備える。複数の照明器具１〜８のそれぞれは、無線コントローラ２０と通信し、かつ、複数の照明器具１〜８同士で通信し合う第１通信部１０ａを備える。無線コントローラ２０は、複数の照明器具１〜８と通信する第２通信部２０ａと、第２通信部２０ａを介して複数の照明器具１〜８を制御する制御部２０ｃとを備える。複数の照明器具１〜８は、無線コントローラ２０の無線通信を中継する中継用の照明器具Ｔ１と、中継用の照明器具Ｔ１を介して無線コントローラと無線通信する中継先の照明器具とを有する。制御部２０ｃは、中継用の照明器具Ｔ１に、無線コントローラ２０の呼びかけに対する応答を指示する第３信号ｓ３を、第２通信部２０ａを介して送信する。制御部２０ｃは、中継用の照明器具Ｔ１が第３信号ｓ３に応答しなかった場合に、当該中継用の照明器具Ｔ１を除く少なくとも１つの照明器具を当該中継用の照明器具Ｔ１の代わりの中継用の照明器具Ｔ２として決定し、第２通信部２０ａを介して、代わりの中継用の照明器具Ｔ２に中継先の照明器具（例えば照明器具５〜８）との無線通信を行うように指示する第４信号ｓ４を送信する。第４信号ｓ４を受信した代わりの中継用の照明器具Ｔ２は、第１通信部１０ａを介して、中継先の照明器具５〜８との無線通信を行う。
【０１５３】
これによれば、照明システム１００Ｄにおいて中継用の照明器具Ｔ１が通信できなくなった場合に、代わりの中継用の照明器具Ｔ２を簡易に決定することができる。
【０１５４】
（その他の形態）
以上、照明システム１００等について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１５５】
例えば、各実施の形態に示す無線コントローラ２０は、建物１０１の天井に設置されているが、それに限られない。無線コントローラ２０は、例えば据え置き型のコンピュータ端末であってもよいし、携帯型のコンピュータ端末であってもよい。照明システムにおける無線コントローラ２０は、１台に限られず複数台であってもよい。また、照明システムは、複数の無線コントローラを統括する上位コントローラをさらに備えていてもよい。記憶部テーブルは、上位コントローラの記憶部に格納されていてもよい。
【０１５６】
例えば、各実施の形態において、第１グループＧ１の少なくとも１つの照明器具を中継用の照明器具Ｔ１として決定する場合、決定される中継用の照明器具は１台に限られず、複数の照明器具が中継用の照明器具として決定されてもよい。
【符号の説明】
【０１５７】
１、２、３、４、５、６、７、８  照明器具
１０ａ  第１通信部
１０ｂ  点灯部
１０ｃ  制御部
１０ｅ  記憶部
２０    無線コントローラ
２０ａ  第２通信部
２０ｂ  点灯部
２０ｃ  制御部
２０ｅ  記憶部
３０    操作端末
３０ａ  第３通信部
３０ｂ  表示入力部
３０ｃ  制御部
３０ｄ  記憶部  
４１、４２  電源スイッチ
４６、４７  電源ライン
１００、１００Ａ、１００Ｂ、１００Ｃ  照明システム
１０１  建物
１０２  障害物
Ｇ１    第１グループ
Ｇ２    第２グループ
ｒ１、ｒ２、ｒ３  無線通信
ｓ１    第１信号
ｓ２    第２信号
ｓ３    第３信号
ｓ４    第４信号
Ｔ１、Ｔ２  中継用の照明器具
【図１】
2019192515.tif 000003
【図２】
2019192515.tif 000004
【図３】
2019192515.tif 000005
【図４】
2019192515.tif 000006
【図５】
2019192515.tif 000007
【図６】
2019192515.tif 000008
【図７Ａ】
2019192515.tif 000009
【図７Ｂ】
2019192515.tif 000010
【図７Ｃ】
2019192515.tif 000011
【図８】
2019192515.tif 000012
【図９】
2019192515.tif 000013
【図１０】
2019192515.tif 000014
【図１１Ａ】
2019192515.tif 000015
【図１１Ｂ】
2019192515.tif 000016
【図１２】
2019192515.tif 000017
【図１３】
2019192515.tif 000018
【図１４】
2019192515.tif 000019
【図１５Ａ】
2019192515.tif 000020
【図１５Ｂ】
2019192515.tif 000021
【図１６】
2019192515.tif 000022
【図１７】
2019192515.tif 000023
【図１８】
2019192515.tif 000024